(57)【要約】【課題】読取条件に制限が存在する特定原稿に対応する読取条件で読み取ることが可能な画像読取装置及び画像読取システムを提供する。【解決手段】ＣＰＵ２５は、原稿が読取条件に制限が存在する特定原稿であるか否かの判別を行い、原稿が特定原稿であると判別された場合には、その特定原稿に対応する読取条件の制限を守る読取条件に基づいてスキャナ部２９による読み取りを実行させる。これにより、読取条件に制限が存在する特定原稿に対応する読取条件で読み取ることができる。【選択図】図２
2008160810.tif 000002
【特許請求の範囲】
【請求項１】
原稿の読み取りを行うことで画像データを取得する読取手段と、
前記読取手段による読取条件に制限が存在する特定原稿に対応する読取条件を記憶する第１記憶手段と、
前記取得された画像データに基づいて、原稿が前記特定原稿であるか否かの判別を行う判別手段と、
前記判別手段により原稿が前記特定原稿であると判別された場合に、前記特定原稿に対応する読取条件を前記第１記憶手段から読み出し、その読み出した読取条件に従って前記読取手段による読み取りを実行させる制御手段と、
を備える画像読取装置。
【請求項２】
ユーザが前記読取手段による第１の読取条件を設定するためのユーザ設定手段を備え、
前記制御手段は、前記判別手段により原稿が前記特定原稿であると判別された場合に、前記特定原稿に対応する第２の読取条件を前記第１記憶手段から読み出し、その読み出した前記第２の読取条件に従って前記読取手段による読み取りを実行させ、前記判別手段により原稿が前記特定原稿でないと判別された場合に、前記ユーザ設定手段により設定された前記第１の読取条件に従って前記読取手段による読み取りを実行させる請求項１に記載の画像読取装置。
【請求項３】
前記制御手段は、前記第１の読取条件が、各前記特定原稿に対応する読取条件の制限全てを守るための規定条件を満たす場合には、その第１の読取条件に従って前記読取手段により読み取りを実行させ、前記第１の読取条件が前記規定条件を満たさない場合には、前記判別手段の判別に基づいて前記読取手段による読み取りを実行させる請求項２に記載の画像読取装置。
【請求項４】
前記ユーザ設定手段による前記第１の読取条件の設定には、解像度の設定が含まれ、
前記制御手段は、前記判別手段により原稿が写真を含む前記特定原稿であると判別され、かつ前記第１の読取条件が前記写真を含む特定原稿に対応する読取条件の制限を守らない解像度であった場合には、前記写真を含む特定原稿に対応する読取条件の制限を守る解像度である第２の読取条件に従って前記読取手段による読み取りを実行させる請求項２または請求項３に記載の画像読取装置。
【請求項５】
前記ユーザ設定手段による前記第１の読取条件の設定には、カラー及びモノクロの設定が含まれ、
前記制御手段は、前記判別手段により原稿が前記特定原稿であると判別され、かつ前記第１の読取条件がモノクロの設定である場合に、カラーの設定である第２の読取条件に従って前記読取手段による読み取りを実行させる請求項２から請求項４のいずれか一項に記載の画像読取装置。
【請求項６】
前記判別手段により原稿が前記特定原稿であると判別された場合に、前記制御手段によって、前記読取手段による読み取りを、前記第２の読取条件に従って実行させるか、あるいは、前記第１の読取条件に従って実行させるかを選択する第１の選択手段を備える請求項２から請求項５のいずれか一項に記載の画像読取装置。
【請求項７】
前記判別手段により原稿が複数種類の前記特定原稿に該当すると判別された場合に、その中のいずれの前記特定原稿に対応する前記第２の読取条件に従って前記読取手段による読み取りを実行させるかを選択する第２の選択手段を備える請求項２から請求項６のいずれか一項に記載の画像読取装置。
【請求項８】
前記判別手段は、予め定められた初期の読取条件に従って前記読取手段が第１の読み取りを行うことで取得した画像データに基づいて判別を行う請求項１から請求項７のいずれか一項に記載の画像読取装置。
【請求項９】
前記判別手段は、前記読取手段の前記第１の読み取りによって取得された画像データにおける色分布に基づいて、判別を行う請求項８に記載の画像読取装置。
【請求項１０】
前記読取手段の前記第１の読み取りによって取得された画像データ中の文字・記号・図形を認識して取得する認識手段を備え、
前記第１の読み取り時における読取条件の設定には、解像度の設定が含まれ、
前記制御手段は、前記判別手段により原稿が文字・記号・図形を含む前記特定原稿であると判別され、かつ、前記認識手段により画像データ中の文字・記号・図形が取得できない場合には、前記第１の読み取り時の読取条件における解像度よりも高い解像度に設定された読取条件に従って前記読取手段による読み取りを実行させる請求項８または請求項９に記載の画像読取装置。
【請求項１１】
前記制御手段は、前記判別手段により原稿が文字・記号・図形を含む前記特定原稿であると判別され、かつ、前記認識手段により画像データ中の文字・記号・図形が取得できた場合には、前記読取手段による読み取りを終了する請求項１０に記載の画像読取装置。
【請求項１２】
前記読取手段の前記第１の読み取りによって取得された画像データ中の文字・記号・図形を認識して取得する認識手段と、
前記特定原稿に対応する文字・記号・図形の情報を記憶する第２記憶手段と、を備え、
前記判別手段は、前記認識手段により取得された文字・記号・図形に前記第２記憶手段に記憶された前記情報と対応する文字・記号・図形が含まれている場合に原稿を前記特定原稿であると判別する請求項８に記載の画像読取装置。
【請求項１３】
互いに通信可能な画像読取装置と情報処理装置とを備え、
前記画像読取装置は、
読取条件に基づいて原稿の読み取りを行うことで画像データを取得する読取手段を備え、
前記情報処理装置は、
前記読取手段による読取条件に制限が存在する特定原稿に対応する読取条件を記憶する第１記憶手段と、
予め定められた初期の読取条件に従って前記読取手段に原稿の読み取りを行わせ、前記取得された画像データに基づいて原稿が前記特定原稿であるか否かの判別を行う判別手段と、
前記判別手段により原稿が前記特定原稿であると判別された場合に、前記特定原稿に対応する読取条件を前記第１記憶手段から読み出し、その読み出した読取条件に従って前記読取手段による読み取りを実行させる制御手段と、
を備える画像読取システム。
【請求項１４】
原稿の読み取りを行うことで画像データを取得する読取手段と、
ユーザが前記読取手段による読取条件を設定するためのユーザ設定手段と、
前記読取手段による読取条件に制限が存在する特定原稿に対応する読取条件を記憶する記憶手段と、
予め定められた初期の読取条件に従って前記読取手段に原稿の読み取りを行わせ、前記取得された画像データに基づいて原稿が前記特定原稿であるか否かの判別を行う判別手段と、
前記判別手段により原稿が前記特定原稿であると判別された場合に、前記特定原稿に対
応する読取条件を前記記憶手段から読み出し、前記ユーザ設定手段により設定された読取条件に代えて前記読み出された読取条件に従って前記読取手段による読み取りを実行させる制御手段と、
を備える画像読取装置。
【請求項１５】
前記判別手段は、前記初期の読取条件に従って前記読取手段により取得された画像データ中に、前記特定原稿に関係するキーワードが存在するか否かを判別することにより、原稿が前記特定原稿か否かを判別することを特徴とする請求項１４に記載の画像読取装置。
【請求項１６】
前記判別手段は、前記初期の読取条件に従って前記読取手段により取得された画像データ中に、前記特定原稿に関係する自然画像が存在するか否かを判別することにより、原稿が前記特定原稿か否かを判別することを特徴とする請求項１４に記載の画像読取装置。
【請求項１７】
前記判別手段は、前記初期の読取条件に従って前記読取手段により取得された画像データ中に、前記特定原稿に関係する透かしパターンが存在するか否かを判別することにより、原稿が前記特定原稿か否かを判別することを特徴とする請求項１４に記載の画像読取装置。
【請求項１８】
前記判別手段は、前記初期の読取条件に従って前記読取手段により取得された画像データ中に、前記特定原稿に関係するバーコードが存在するか否かを判別することにより、原稿が前記特定原稿か否かを判別することを特徴とする請求項１４に記載の画像読取装置。
【請求項１９】
前記判別手段は、前記初期の読取条件に従って前記読取手段により取得された画像データが、前記特定原稿に関係する磁気マップ情報であるか否かを判別することにより、原稿が前記特定原稿か否かを判別することを特徴とする請求項１４に記載の画像読取装置。
【請求項２０】
互いに通信可能な画像読取装置と情報処理装置とを備え、
前記画像読取装置は、
原稿の読み取りを行うことで画像データを取得する読取手段を備え、
前記情報処理装置は、
ユーザが前記読取手段による読取条件を設定するためのユーザ設定手段と、
前記読取手段による読取条件に制限が存在する特定原稿に対応する読取条件を記憶する記憶手段と、
予め定められた初期の読取条件に従って前記読取手段に原稿の読み取りを行わせ、前記取得された画像データに基づいて原稿が前記特定原稿であるか否かの判別を行う判別手段と、
前記判別手段により原稿が前記特定原稿であると判別された場合に、前記特定原稿に対応する読取条件を前記記憶手段から読み出し、前記ユーザ設定手段により設定された読取条件に代えて前記読み出された読取条件に従って前記読取手段による読み取りを実行させる制御手段と、
を備える画像読取システム。
【発明の詳細な説明】
【技術分野】
【０００１】
本発明は、画像読取装置及び画像読取システムに関する。
【背景技術】
【０００２】
近年では、民間企業に保存が義務付けられている税務や財務関連の文書・帳票等を、電子化された文書ファイルとして保存することが法的に認められている。また、紙の文書をスキャナで読み取った画像データについても、解像度、階調が基準以上であることなど、一定の読取条件を満たせば原本として認められる。これにより、紙文書の保管にかかるコストの削減などが期待されている。
【０００３】
また、特許文献１に記載の発明では、紙文書（原稿）から読み取られた画像データが、予め設定されている紙幣・証券類の特徴とマッチングした場合には、マッチングしない画像データに変換する技術が記載されている。つまり、ユーザが紙幣・証券類の特徴とマッチングしない読取条件で読み取りを行えば、紙幣や証券類の偽造を防止可能な適切な読取条件で読み取りを行うことができる。
【特許文献１】特開平１−３１６７８３号公報
【発明の開示】
【発明が解決しようとする課題】
【０００４】
しかしながら、ユーザが紙文書の読み取りを行う際には、解像度や階調等の読取条件の設定を誤り、不適切な読取条件で読み取りを行うことがある。そのような場合には、ユーザがその場では誤りに気付かず、後にその画像データを使用する際に不備が発覚するといった事態を招くおそれがある。
【０００５】
本発明は上記のような事情に基づいて完成されたものであって、読取条件に制限が存在する特定原稿に対応する読取条件で読み取ることが可能な画像読取装置及び画像読取システムを提供することを目的とする。また、第２の目的として、読取条件の設定ミスを低減することが可能な画像読取装置及び画像読取システムを提供することを目的とする。
【課題を解決するための手段】
【０００６】
上記の目的を達成するための手段として、請求項１の発明に係る画像読取装置は、原稿の読み取りを行うことで画像データを取得する読取手段と、前記読取手段による読取条件に制限が存在する特定原稿に対応する読取条件を記憶する第１記憶手段と、前記取得された画像データに基づいて、原稿が前記特定原稿であるか否かの判別を行う判別手段と、前記判別手段により原稿が前記特定原稿であると判別された場合に、前記特定原稿に対応する読取条件を前記第１記憶手段から読み出し、その読み出した読取条件に従って前記読取手段による読み取りを実行させる制御手段と、を備える。
【０００７】
請求項２の発明は、請求項１に記載のものにおいて、ユーザが前記読取手段による第１の読取条件を設定するためのユーザ設定手段を備え、前記制御手段は、前記判別手段により原稿が前記特定原稿であると判別された場合に、前記特定原稿に対応する第２の読取条件を前記第１記憶手段から読み出し、その読み出した前記第２の読取条件に従って前記読取手段による読み取りを実行させ、前記判別手段により原稿が前記特定原稿でないと判別された場合に、前記ユーザ設定手段により設定された前記第１の読取条件に従って前記読取手段による読み取りを実行させる。
【０００８】
請求項３の発明は、請求項２に記載のものにおいて、前記制御手段は、前記第１の読取
条件が、各前記特定原稿に対応する読取条件の制限全てを守るための規定条件を満たす場合には、その第１の読取条件に従って前記読取手段により読み取りを実行させ、前記第１の読取条件が前記規定条件を満たさない場合には、前記判別手段の判別に基づいて前記読取手段による読み取りを実行させる。
【０００９】
請求項４の発明は、請求項２または請求項３に記載のものにおいて、前記ユーザ設定手段による前記第１の読取条件の設定には、解像度の設定が含まれ、前記制御手段は、前記判別手段により原稿が写真を含む前記特定原稿であると判別され、かつ前記第１の読取条件が前記写真を含む特定原稿に対応する読取条件の制限を守らない解像度であった場合には、前記写真を含む特定原稿に対応する読取条件の制限を守る解像度である第２の読取条件に従って前記読取手段による読み取りを実行させる。
【００１０】
請求項５の発明は、請求項２から請求項４のいずれか一項に記載のものにおいて、前記ユーザ設定手段による前記第１の読取条件の設定には、カラー及びモノクロの設定が含まれ、前記制御手段は、前記判別手段により原稿が前記特定原稿であると判別され、かつ前記第１の読取条件がモノクロの設定である場合に、カラーの設定である第２の読取条件に従って前記読取手段による読み取りを実行させる。
【００１１】
請求項６の発明は、請求項２から請求項５のいずれか一項に記載のものにおいて、前記判別手段により原稿が前記特定原稿であると判別された場合に、前記制御手段によって、前記読取手段による読み取りを、前記第２の読取条件に従って実行させるか、あるいは、前記第１の読取条件に従って実行させるかを選択する第１の選択手段を備える。
【００１２】
請求項７の発明は、請求項２から請求項６のいずれか一項に記載のものにおいて、前記判別手段により原稿が複数種類の前記特定原稿に該当すると判別された場合に、その中のいずれの前記特定原稿に対応する前記第２の読取条件に従って前記読取手段による読み取りを実行させるかを選択する第２の選択手段を備える。
【００１３】
請求項８の発明は、請求項１から請求項７のいずれか一項に記載のものにおいて、前記判別手段は、予め定められた初期の読取条件に従って前記読取手段が第１の読み取りを行うことで取得した画像データに基づいて判別を行う。
【００１４】
請求項９の発明は、請求項８に記載のものにおいて、前記判別手段は、前記読取手段の前記第１の読み取りによって取得された画像データにおける色分布に基づいて、判別を行う。
【００１５】
請求項１０の発明は、請求項８または請求項９に記載のものにおいて、前記読取手段の前記第１の読み取りによって取得された画像データ中の文字・記号・図形を認識して取得する認識手段を備え、前記第１の読み取り時における読取条件の設定には、解像度の設定が含まれ、前記制御手段は、前記判別手段により原稿が文字・記号・図形を含む前記特定原稿であると判別され、かつ、前記認識手段により画像データ中の文字・記号・図形が取得できない場合には、前記第１の読み取り時の読取条件における解像度よりも高い解像度に設定された読取条件に従って前記読取手段による読み取りを実行させる。
【００１６】
請求項１１の発明は、請求項１０に記載のものにおいて、前記制御手段は、前記判別手段により原稿が文字・記号・図形を含む前記特定原稿であると判別され、かつ、前記認識手段により画像データ中の文字・記号・図形が取得できた場合には、前記読取手段による読み取りを終了する。
【００１７】
請求項１２の発明は、請求項８に記載のものにおいて、前記読取手段の前記第１の読み
取りによって取得された画像データ中の文字・記号・図形を認識して取得する認識手段と、前記特定原稿に対応する文字・記号・図形の情報を記憶する第２記憶手段と、を備え、前記判別手段は、前記認識手段により取得された文字・記号・図形に前記第２記憶手段に記憶された前記情報と対応する文字・記号・図形が含まれている場合に原稿を前記特定原稿であると判別する。
【００１８】
請求項１３の発明に係る画像読取システムは、互いに通信可能な画像読取装置と情報処理装置とを備え、前記画像読取装置は、読取条件に基づいて原稿の読み取りを行うことで画像データを取得する読取手段を備え、前記情報処理装置は、前記読取手段による読取条件に制限が存在する特定原稿に対応する読取条件を記憶する第１記憶手段と、予め定められた初期の読取条件に従って前記読取手段に原稿の読み取りを行わせ、前記取得された画像データに基づいて原稿が前記特定原稿であるか否かの判別を行う判別手段と、前記判別手段により原稿が前記特定原稿であると判別された場合に、前記特定原稿に対応する読取条件を前記第１記憶手段から読み出し、その読み出した読取条件に従って前記読取手段による読み取りを実行させる制御手段と、を備える。
【００１９】
請求項１４の発明に係る画像読取装置は、原稿の読み取りを行うことで画像データを取得する読取手段と、ユーザが前記読取手段による読取条件を設定するためのユーザ設定手段と、前記読取手段による読取条件に制限が存在する特定原稿に対応する読取条件を記憶する記憶手段と、予め定められた初期の読取条件に従って前記読取手段に原稿の読み取りを行わせ、前記取得された画像データに基づいて原稿が前記特定原稿であるか否かの判別を行う判別手段と、前記判別手段により原稿が前記特定原稿であると判別された場合に、前記特定原稿に対応する読取条件を前記記憶手段から読み出し、前記ユーザ設定手段により設定された読取条件に代えて前記読み出された読取条件に従って前記読取手段による読み取りを実行させる制御手段と、を備える。
【００２０】
請求項１５の発明は、請求項１４に記載のものにおいて、前記判別手段は、前記初期の読取条件に従って前記読取手段により取得された画像データ中に、前記特定原稿に関係するキーワードが存在するか否かを判別することにより、原稿が前記特定原稿か否かを判別する。
【００２１】
請求項１６の発明は、請求項１４に記載のものにおいて、前記判別手段は、前記初期の読取条件に従って前記読取手段により取得された画像データ中に、前記特定原稿に関係する自然画像が存在するか否かを判別することにより、原稿が前記特定原稿か否かを判別する。
【００２２】
請求項１７の発明は、請求項１４に記載のものにおいて、前記判別手段は、前記初期の読取条件に従って前記読取手段により取得された画像データ中に、前記特定原稿に関係する透かしパターンが存在するか否かを判別することにより、原稿が前記特定原稿か否かを判別する。
【００２３】
請求項１８の発明は、請求項１４に記載のものにおいて、前記判別手段は、前記初期の読取条件に従って前記読取手段により取得された画像データ中に、前記特定原稿に関係するバーコードが存在するか否かを判別することにより、原稿が前記特定原稿か否かを判別する。
【００２４】
請求項１９の発明は、請求項１４に記載のものにおいて、前記判別手段は、前記初期の読取条件に従って前記読取手段により取得された画像データが、前記特定原稿に関係する磁気マップ情報であるか否かを判別することにより、原稿が前記特定原稿か否かを判別する。
【００２５】
請求項２０の発明に係る画像読取システムは、互いに通信可能な画像読取装置と情報処理装置とを備え、前記画像読取装置は、原稿の読み取りを行うことで画像データを取得する読取手段を備え、前記情報処理装置は、ユーザが前記読取手段による読取条件を設定するためのユーザ設定手段と、前記読取手段による読取条件に制限が存在する特定原稿に対応する読取条件を記憶する記憶手段と、予め定められた初期の読取条件に従って前記読取手段に原稿の読み取りを行わせ、前記取得された画像データに基づいて原稿が前記特定原稿であるか否かの判別を行う判別手段と、前記判別手段により原稿が前記特定原稿であると判別された場合に、前記特定原稿に対応する読取条件を前記記憶手段から読み出し、前記ユーザ設定手段により設定された読取条件に代えて前記読み出された読取条件に従って前記読取手段による読み取りを実行させる制御手段と、を備える。
【発明の効果】
【００２６】
＜請求項１及び請求項１３の発明＞
読取条件に制限が存在する特定原稿であると判別された場合には、その特定原稿に対応する読取条件で読み取ることができる。
【００２７】
＜請求項２の発明＞
特定原稿の読み取りを行う際に、その特定原稿に対して適切でない第１の読取条件がユーザにより設定されていた場合でも、その特定原稿に対応する第２の読取条件に基づいて読み取りが行われるため、読取条件の設定ミスを低減することができる。
【００２８】
＜請求項３の発明＞
第１の読取条件が規定条件を満たす場合は、第１の読取条件にて読み取りを行う。この場合、判別手段による判別処理を省略することができるため、処理を短時間で行うことができる。
【００２９】
＜請求項４の発明＞
原稿に写真が含まれる場合には、読取条件を規定以上の解像度に設定することで、写真が低解像度で読み取られるミスを防ぐことができる。
【００３０】
＜請求項５の発明＞
カラーで読み取るべき原稿を誤ってモノクロで読み取るミスを防ぐことができる。
【００３１】
＜請求項６の発明＞
原稿が特定原稿であると判別された場合に、読取条件を変更するかしないかを選択することができるため、ユーザの要望に柔軟に対応することができる。
【００３２】
＜請求項７の発明＞
特定原稿として該当するものが複数あった場合に、どの特定原稿に対応する読取条件で読み取りを行うかを選択することができる。これにより、ユーザの要望に柔軟に対応することができる。
【００３３】
＜請求項８の発明＞
第１の読み取りにより予め定められた初期の読取条件に従って取得された画像データに基づいて原稿が特定原稿であるか否かの判別を行うため、毎回同じ読取条件で読み取られた画像データに基づく判別が可能となる。
【００３４】
＜請求項９の発明＞
画像データにおける色分布を調べることにより、例えばその画像データに自然画像が含
まれるか等を判別することが可能となる。
【００３５】
＜請求項１０の発明＞
第１の読み取りによって得られた画像データの文字・記号・図形が認識できない場合には、解像度を高めて再度読み取りを行う。これにより、画像データから文字・記号・図形が読み取れない事態を防ぐことができる。
【００３６】
＜請求項１１の発明＞
第１の読み取りを第１の読取条件と異なる第２の読取条件に基づいて行い、得られた画像データの文字・記号・図形が認識できた場合には、そのまま読み取りを終了する。これにより、読み取りを行う回数を省略することができる。
【００３７】
＜請求項１２の発明＞
画像データから読み取った文字・記号・図形に基づいて判別を行うため、原稿の内容に基づいた判別が可能となる。
【００３８】
＜請求項１４及び請求項２０の発明＞
特定原稿の読み取りを行う際に、その特定原稿に対して適切でない読取条件がユーザにより設定されていた場合でも、その特定原稿に対応する読取条件に基づいて読み取りが行われるため、読取条件の設定ミスを低減することができる。
【００３９】
＜請求項１５の発明＞
特定原稿に関係するキーワードが存在するか否かを判別することにより、その特定原稿に対応する読取条件に基づいて読み取りが行われるため、読取条件の設定ミスを低減することができる。
【００４０】
＜請求項１６の発明＞
特定原稿に関係する自然画像が存在するか否かを判別することにより、その特定原稿に対応する読取条件に基づいて読み取りが行われるため、読取条件の設定ミスを低減することができる。
【００４１】
＜請求項１７の発明＞
特定原稿に関係するキーワードが存在するか否かを判別することにより、その特定原稿に対応する読取条件に基づいて読み取りが行われるため、読取条件の設定ミスを低減することができる。
【００４２】
＜請求項１８及び請求項１９の発明＞
特定原稿に関係するバーコードまたは磁気マップが存在するかを判別することにより、その特定原稿に対応する読取条件に基づいて読み取りが自動的に行われるため、読取条件の設定ミスを低減することができる。
【発明を実施するための最良の形態】
【００４３】
＜実施形態１＞
次に本発明の実施形態１について図１から図４を参照して説明する。
【００４４】
（全体構成）
図１は、本実施形態のプリンタ２０（画像読取装置の一例）と、このプリンタ２０とＬＡＮなどの通信回線３０を介して接続されたコンピュータ１０（情報処理装置の一例）とから構成される画像読取システムの構成を示すブロック図である。
【００４５】
コンピュータ１０は、キーボードやマウスなどの外部からの入力操作を受け付ける操作部１１、液晶ディスプレイ等の表示部１２、ＲＯＭ１３、ＲＡＭ１４、ＣＰＵ１５、ハードディスク１６、通信回線３０に接続されるネットワークインターフェイス１７等を備えて構成されている。ハードディスク１６には、プリンタドライバやその他のアプリケーションソフト等が記憶されており、ＣＰＵ１５は、上記操作部１１からの実行指令に基づきプリンタドライバ等をハードディスク１６から読み出して実行する。
【００４６】
プリンタ２０は、各種のキー等からなる操作部２１（ユーザ設定手段、第１の選択手段、第２の選択手段の一例）、被記録媒体としての用紙への印刷を行う印刷部２２、ＲＯＭ２３（記憶手段、第１記憶手段、第２記憶手段の一例）、ＲＡＭ２４（第１記憶手段の一例）、ＣＰＵ２５、ＮＶＲＡＭ（不揮発性メモリ）２６、液晶ディスプレイ等の表示部２７、ネットワークインターフェイス２８（ユーザ設定手段の一例）、スキャナ部２９等を備えて構成されている。ＣＰＵ２５（判別手段、制御手段、認識手段の一例）は、ＲＯＭ２３に記憶されたプログラムに従って、その処理結果をＲＡＭ２４やＮＶＲＡＭ２６に記憶させながら各部の制御を行う。スキャナ部２９（読取手段の一例）は、セットされた原稿を読み取り、画像データを出力する。ネットワークインターフェイス２８は、通信回線３０に接続されており、これを介して外部からの後述する読み取り指令や読取条件の設定値等の入力や、外部への画像データの送信等が行われる。
【００４７】
（スキャン処理）
次にプリンタ２０にて実行されるスキャン処理について説明する。図２は、スキャン処理の流れを示すフローチャートである。
【００４８】
プリンタ２０では、スキャン処理に用いられる各種のスキャン設定の設定値がＲＡＭ２４上に記憶されており、ユーザは、表示部２７における各種スキャン設定の設定値の表示を参照しつつ、操作部２１からの操作によってそれらの設定値を変更することができる。そして、ユーザが操作部２１によりスキャン開始の操作を行うことによってスキャン指令が入力される。
【００４９】
一方、コンピュータ１０においては、ユーザが操作部１１の操作により、プリンタドライバを起動させた後、表示部１２における各種スキャン設定の設定値の表示を参照しつつ、各種のスキャン設定の設定値を入力し、スキャン開始の操作を行うことで、入力されたスキャン設定の設定値がスキャン指令と共にプリンタ２０へ送信される。
【００５０】
ここで、スキャン設定の設定値とは、例えば、読取条件、出力ファイル形式、出力先など、スキャンに関する各種の設定情報を含んでいる。読取条件とは、解像度、カラーモード（階調）など、読み取り時にスキャナ部２９によって用いられる各種の設定値である。具体的には、解像度は、例えば、１５０ｄｐｉ， ２００ｄｐｉ， ３００ｄｐｉ， ４０
０ｄｐｉ， …のように複数種類の設定値の中からいずれか一つが選択される。また、カ
ラーモードは、例えば、モノクロ２値、グレースケール２５６階調、カラ−ＲＧＢ各色２５６階調、…のように複数種類の設定値の中からいずれか一つが選択される。
【００５１】
スキャン処理は、スキャナ部２９に原稿がセットされた状態で、上述のように操作部２１からスキャン指令が入力された場合、若しくは外部のコンピュータ１０からネットワークインターフェイス２８を介してスキャン指令を受信した場合に、ＣＰＵ２５の制御により実行される。
【００５２】
ＣＰＵ２５は、スキャン処理を開始すると、まず設定されたスキャン設定の設定値（第１の読取条件の一例）を読み込む（Ｓ１０１）。ここで、設定されたスキャンの設定値は、プリンタ２０の操作部２１からユーザによりスキャン指令が入力された場合には、ＲＡ
Ｍ２４上に記憶された設定値であり、コンピュータ１０からスキャン指令が入力された場合には、その指令と共に受信した設定値である。そして、読み込んだスキャン設定の設定値に含まれる読取条件の設定値が以下に示す規定条件を満たすか否かを判断する（Ｓ１０２）。
【００５３】
ここで、ＲＯＭ２３には、複数の原稿の種類（ここでは特定文書という。特定原稿の一例）と、それぞれの特定文書に対応する読取条件の制限と、それらの制限をそれぞれ守る読取条件（第２の読取条件の一例）とが記憶されている。具体的には、特定文書として、国税関係文書、固定資産文書等、読取条件に制限がある文書が複数記憶されている。国税関係文書に対応する読取条件の制限として、例えば、解像度２００ｄｐｉ以上、カラーＲＧＢ各２５６階調以上という制限が記憶されており、固定資産文書に対応する読取条件の制限として、例えば、解像度４００ｄｐｉ以上、カラーＲＧＢ各２５６階調以上という制限が記憶されている。また、国税関係文書に対応する読取条件の制限を守る読取条件として、例えば、解像度３００ｄｐｉ、カラーＲＧＢ各２５６階調という設定値が記憶されており、固定資産文書に対応する読取条件の制限を守る読取条件として、例えば、解像度４００ｄｐｉ、カラーＲＧＢ各２５６階調という設定値が記憶されている。さらに、ＲＯＭ２３には、後述するように、原稿が特定文書に該当するか否かを判別するための特定要件（後述のキーワード）が記憶されている。
【００５４】
Ｓ１０２の処理では、設定された読取条件が、各特定文書に対応する読取条件の制限を全て守るための規定条件を満たすか否かを判断する。即ち、本実施形態では、まず、ＲＯＭ２３に記憶された各特定文書に対応する解像度の制限のうち、制限を守るために最低限必要な解像度（必要解像度）が最大値となる制限と、設定された解像度の設定値とを比較し、ＲＯＭ２３に記憶された各特定文書に対応する階調の制限のうち、制限を守るために最低限必要な階調（必要階調）が最大値となる制限と、設定された階調の設定値とを比較する。この比較結果により、設定された解像度の設定値が比較対象となる制限の必要解像度以上となり、かつ設定された階調の設定値が比較対象となる制限の必要階調以上となるかを判断する。そして、設定された読取条件が上記規定条件を満たす場合（Ｓ１０２：Ｙｅｓ）には、現在の設定を変更することなく、その読取条件（スキャン設定）を用いてスキャナ部２９によるスキャンを実行する（Ｓ１０３）。
【００５５】
設定された読取条件が上記規定条件を満たさない場合（Ｓ１０２：Ｎｏ）には、スキャナ部２９により原稿のスキャン（第１の読み取り、以下プレスキャンという）を行う（Ｓ１０４）。このプレスキャン時の読取条件は、例えば、一般的なＯＣＲ処理（次述する）が可能な程度の、図２のＳ１０１の処理で読み込まれる解像度の設定値より低い解像度で、かつ、図２のＳ１０１の処理で読み込まれる階調の設定値より低い階調のモノクロとする。このプレスキャン時の読取条件は、予めＲＯＭ２３に記憶されている。このため、プレスキャンでは、図２のＳ１０１の処理で読み込まれる読取条件でスキャンするよりも比較的短時間でスキャンすることができる。ＣＰＵ２５は、プレスキャンにより取得された画像データをＲＡＭ２４に記憶させ、続いてこの画像データに対してＯＣＲ処理を行う（Ｓ１０５）。
【００５６】
ＯＣＲ（Optical Character Recognition）処理とは、周知の光学文字認識技術を用い
た処理であり、画像データと、ＲＯＭ２３に予め記憶されたパターンとの照合により、画像データに含まれる文字（文字コード）を抽出する。ここで、ＲＯＭ２３には、原稿が特定文書に該当するか否かを判別するための特定要件として、各特定文書に対応するキーワードが記憶されている。具体的には、例えば、国税関係文書は、「領収書」、「契約書」、…、固定資産文書は、「領収書」、「見積書」、…のように、それぞれの特定文書に対し１つ以上のキーワードが記憶されており、かつキーワードの一部が重複するものも含まれている。
【００５７】
ＣＰＵ２５は、上記ＯＣＲ処理にて抽出された文字中に特定文書のキーワードが含まれるか否かを判断する（Ｓ１０６、判別手段の一例）。そして、キーワードが含まれない場合（Ｓ１０６：Ｎｏ）には、特定文書でないと判別されるため、Ｓ１０３に進み、現設定のままスキャンを行う。
【００５８】
キーワードが含まれていた場合（Ｓ１０６：Ｙｅｓ）には、原稿が特定文書であると判別されたことになり、続いて合致したキーワードを有する特定文書が複数存在するか否かを判断する（Ｓ１０７、判別手段の一例）。合致したキーワードを有する特定文書が一つである場合（Ｓ１０７：Ｎｏ）には、例えば図３に示すように、表示部２７（コンピュータ１０からスキャン指令が入力された場合は表示部１２）に読取条件の設定値をその特定文書に対応する設定値に変更するか否かをユーザに選択させるための確認画面を表示させる（Ｓ１０８）。この確認画面では、ユーザは、操作部２１（コンピュータ１０からスキャン指令が入力された場合は操作部１１）により「ＯＫ」または「キャンセル」を選択することができる。ここで、「キャンセル」が選択された場合（Ｓ１０９：Ｙｅｓ）には、Ｓ１０３に進み、読取条件の設定値の変更を行わずに現設定のままでスキャンを実行する。また、「ＯＫ」が選択された場合（Ｓ１０９：Ｎｏ）には、読取条件を、ＲＯＭ２３から読み出した前述の特定文書に対応する読取条件に変更してスキャンを実行する（Ｓ１１０）。
【００５９】
Ｓ１０７にて、合致したキーワードを有する特定文書が複数存在する場合（Ｓ１０７：Ｙｅｓ）には、例えば図４に示すように、表示部２７（若しくは表示部１２）にそれらの特定文書の中から一つの特定文書をユーザに選択させるための選択画面を表示させる（Ｓ１１１、第２の選択手段の一例）。この選択画面では、合致したキーワードを有する特定文書がリスト表示され、ユーザが操作部２１を用いてリストの中から一つの特定文書を選択することができる。ここで、「キャンセル」が選択された場合（Ｓ１１２：Ｙｅｓ）には、Ｓ１０３に進み、読取条件の設定値の変更を行わずに現設定のままでスキャンを実行する。また、「ＯＫ」が選択された場合（Ｓ１１２：Ｎｏ）には、読取条件の設定値を、選択された特定文書に対応する読取条件に変更してスキャンを実行する（Ｓ１１３）。
【００６０】
なお、上記の特定文書の選択処理では、合致するキーワードを有する特定文書が複数存在する場合には、合致するキーワードの数に応じて、特定文書の表示順を変えてもよく、あるいは一致するキーワードの数が多いものを特定文書として自動的に選択するようにしても良い。
【００６１】
上記のＳ１０３，Ｓ１１０，Ｓ１１３のスキャン処理によって取得された画像データは、スキャン設定によって設定された出力先（コンピュータ１０等）に送信される。
【００６２】
（本実施形態の効果）
以上のように本実施形態によれば、特定文書であると判別された場合には、その特定文書に対応する読取条件により読み取りが行われるため、読取条件に制限が存在する特定原稿を最適な読取条件で読み取ることができる。
【００６３】
また、特定文書の読み取りを行う際に、その特定文書に対応する読取条件の制限を守らない第１の読取条件が設定されていた場合（Ｓ１０２：Ｎｏ）でも、その特定文書に対応する読取条件の制限を守る第２の読取条件に基づいて読み取りが行われる（Ｓ１１０，Ｓ１１３）ため、読取条件の設定ミスを低減することができる。
【００６４】
また、元の読取条件が規定条件を満たす場合（Ｓ１０２：Ｙｅｓ）は、その読取条件にて読み取りを行う。この場合、ＣＰＵ２５による判別処理（Ｓ１０４〜Ｓ１０６）を省略
することができるため、処理を短時間で行うことができる。
【００６５】
また、特定文書に対応する読取条件の制限がカラーであれば、その特定文書を原稿として読み取る際に元の読取条件がモノクロであっても、カラーの読取条件で読み取る（Ｓ１１０，Ｓ１１３）。これにより、カラーで読み取るべき原稿を誤ってモノクロで読み取るミスを防ぐことができる。
【００６６】
また、原稿が特定文書であると判別された場合に、読取条件を変更するかしないかを選択することができる（Ｓ１０８、Ｓ１０９）ため、ユーザの要望に柔軟に対応することができる。
【００６７】
また、特定文書として該当するものが複数あった場合に、どの特定文書に対応する読取条件で読み取りを行うかを選択することができる（Ｓ１１１，Ｓ１１２）。これにより、ユーザの要望に柔軟に対応することができる。
【００６８】
また、第１の読み取りにより取得された画像データから読み取った文字に基づいて原稿が特定文書であるか否かの判別を行うことができる（Ｓ１０６）ため、原稿の内容に基づいた判別が可能となる。
【００６９】
＜実施形態２＞
次に本発明の実施形態２について図５を参照して説明する。図５は、本実施形態のスキャン処理の流れを示すフローチャートである。なお、本実施形態の全体構成は、実施形態１と同様である。
【００７０】
本実施形態では、ＲＯＭ２３に、特定文書として、「履歴書等」（写真を含んだ履歴書、各種申請書等）が記憶され、さらにその履歴書等に対応する読取条件（解像度、階調、カラー）の制限と、その制限を守る読取条件とが記憶されている。なお、履歴書等に対応する読取条件の制限は、例えば、３００ｄｐｉ以上の解像度で、カラーでかつＲＧＢ各２５６階調以上の階調とする。また、履歴書等に対応する読取条件の制限を守る読取条件は、例えば、６００ｄｐｉ、カラーＲＧＢ各２５６階調とする。
【００７１】
ＣＰＵ２５は、スキャン処理を開始すると、まず設定されたスキャン設定の設定値を読み込み（Ｓ２０１）、そして、読み込んだスキャン設定の設定値に含まれる読取条件が規定条件を満たすか否かを判断する（Ｓ２０２）。
【００７２】
なお、本実施形態では、ＣＰＵ２５は、設定された読取条件が履歴書等に対応する読取条件の制限のみを守るか否かを判断すればよいので、規定条件は、履歴書等に対応する読取条件の制限を守るための条件である。
【００７３】
設定された読取条件が規定条件を満たす場合（Ｓ２０２：Ｙｅｓ）には、その読取条件のままでスキャンを実行する（Ｓ２０３）。また、設定された読取条件が規定条件を満たさない場合（Ｓ２０２：Ｎｏ）には、プレスキャンを行う（Ｓ２０４）。なお、このプレスキャンの読取条件は、一般的なＯＣＲ処理が可能な程度の、図５のＳ２０１の処理で読み込まれる解像度の設定値より低い解像度で、かつ図５のＳ２０１の処理で読み込まれる階調の設定値より低い階調のカラーとされ、予めＲＯＭ２３に記憶されている。
【００７４】
続いて、プレスキャンにより取得された画像データを解析し（Ｓ２０５）、自然画像が含まれるか否かを判断する（Ｓ２０６、判別手段の一例)。具体的には、例えば、画像デ
ータの色分布（各色ごとの画素数）を解析し、色分布が基準値よりなだらかに変化する場
合には自然画像を含むと判断する。解析の結果、画像データに自然画像が含まれないと判断された場合（Ｓ２０６：Ｎｏ）には、原稿が履歴書等に該当しないと判別されたことになり、Ｓ２０３にて読取条件を変更せずにスキャンを実行する。また、画像データに自然画像が含まれると判断された場合（Ｓ２０６：Ｙｅｓ）には、原稿が履歴書等に該当すると判別されたことになるため、読取条件をＲＯＭ２３から読み出した履歴書等に対応する読取条件に変更してスキャンを実行する（Ｓ２０７）。
【００７５】
本実施形態によれば、例えば履歴書や、免許証、各種申請書等のように、原稿に写真が含まれる場合には、読取条件を写真が含まれる原稿に対応する読取条件の制限を守る解像度に設定することで、写真が低解像度で読み取られるミスを防ぐことができる。
【００７６】
また、画像データにおける色分布を調べることにより、例えばその画像データに自然画像が含まれるか等を判別することが可能となる。
【００７７】
なお、原稿が特定文書であるかを判別するための特定要件として、自然画像の有無だけでなく、例えば、原稿のサイズを判断に含めるようにしても良く、あるいは、自然画像の位置やサイズ等を判断に含めるようにしても良い。
【００７８】
＜実施形態３＞
次に本発明の実施形態３について図６を参照して説明する。図６は、スキャン処理の流れを示すフローチャートである。なお、本実施形態の全体構成は、実施形態１と同様である。
【００７９】
本実施形態では、ＲＯＭ２３に、特定文書として、「文字文書」（住所録等）が記憶され、さらにその文字文書に対応する読取条件の制限と、この制限を守る読取条件とが記憶されている。なお、文字文書に対応する読取条件の制限は、例えばモノクロである。また、文字文書に対応する読取条件の制限を守る読取条件は、例えば、３００ｄｐｉでモノクロとする。
【００８０】
ＣＰＵ２５は、スキャン処理を開始すると、まずプレスキャンを行う（Ｓ３０１）。このプレスキャンの読取条件は、モノクロで、プレスキャンにより取得された画像データが自然画像を含むか否かを調べるのに最低限必要な程度の解像度とされ、予めＲＯＭ２３に記憶されている。なお、このプレスキャンの読取条件に含まれる解像度の設定値は、ＲＯＭ２３に記憶されている文字文書に対応する解像度の設定値（３００ｄｐｉ）より低い設定値となっている。続いて、ＣＰＵ２５は、プレスキャンにより取得された画像データを解析し（Ｓ３０２）、画像データが文字のみを含んだものか否かを判断する（Ｓ３０３、判別手段の一例）。具体的には、例えば、画像データの色分布を解析し、色分布が基準値よりなだらかに変化する箇所が存在する場合には自然画像等を含むと推測されるため、文字のみを含んだものではないと判断し、そうでない場合に文字のみを含んだ文書であると判断する。
【００８１】
解析の結果、画像データが文字ばかりでないと判断された場合（Ｓ３０３：Ｎｏ）には、原稿が文字文書には該当しないと判別されたことになり、設定されたスキャン設定の設定値でスキャンを実行する（Ｓ３０４）。また、画像データが文字ばかりであると判断された場合（Ｓ３０３：Ｙｅｓ）には、原稿が文字文書に該当すると判別されたことになり、続いてその画像データに対してＯＣＲ処理を行う（Ｓ３０５、認識手段の一例）。このＯＣＲ処理では、前述のものと同様に、画像データとＲＯＭ２３に予め記憶されたパターン（キーワード）との照合により、画像データに含まれる文字（文字コード）を抽出する。
【００８２】
そして、ＣＰＵ２５は、ＯＣＲ処理により文字が取得できたか否かを判断する（Ｓ３０６）。文字が取得できた場合（Ｓ３０６：Ｙｅｓ）には、このスキャン処理を終了する。即ち、この場合は、プレスキャンにより得られた画像データが出力先に送信される。また、文字が取得できなかった場合（Ｓ３０６：Ｎｏ）には、ＲＯＭ２３に記憶されている文字文書に対応する読取条件を読み出し、プレスキャン時の読取条件よりも解像度を上げて、かつモノクロでスキャンを実行する（Ｓ３０７）。
【００８３】
本実施形態によれば、プレスキャンによって得られた画像データの文字が認識できない場合には、解像度を上げて再度読み取りを行う。これにより、画像データから文字が読み取れない事態を防ぐことができる。
【００８４】
また、プレスキャンを始めに設定された読取条件と異なる読取条件に基づいて行い、得られた画像データの文字が認識できた場合には、そのまま読み取りを終了する。これにより、読み取りを行う回数を省略することができる。
【００８５】
また、本実施形態では、読取条件をカラーとして設定した場合も、文字文書をモノクロの設定でスキャンするため、得られる画像データのサイズを小さく抑えることができる。
【００８６】
なお、上記実施形態では、キーワードとして画像データ中の文字を認識するものを示したが、文字以外にも記号・図形等を認識し、記号・図形等が取得できない場合に解像度を上げて再度スキャンを行うような構成としても良い。
【００８７】
また、解像度を上げたスキャンで得た画像データからも文字等が取得できない場合には、さらに解像度を上げてスキャンを繰り返し行うようにしても良い。
【００８８】
＜実施形態４＞
次に本発明の実施形態４について図７を参照して説明する。図７は、本実施形態のスキャン処理の流れを示すフローチャートである。なお、本実施形態の全体構成は、実施形態１と同様である。
【００８９】
本実施形態では、ＲＯＭ２３に、特定文書として、複数種類のバーコード文書（例えば「ＣＯＤＥ３９」「ＪＡＮ１３」「ＰＯＳＴＮＥＴ」）が記憶され、それぞれのバーコードの種類に対応するデータ形式の情報が記憶されている。さらに、ＲＯＭ２３には、それぞれのバーコード文書に対応する読取条件の制限を守る読取条件が記憶されている。
【００９０】
ＣＰＵ２５は、スキャン処理を開始すると、まずプレスキャンを行う（Ｓ４０１）。このプレスキャンの読取条件は、モノクロで、バーコードが特定文書を表すデータを含むか否かを調べるのに最低限必要な程度の解像度とされ、予めＲＯＭ２３に記憶されている。続いて、ＣＰＵ２５は、プレスキャンにより取得された画像データを解析し（Ｓ４０２）、画像データにバーコードが含まれているかを判断する（Ｓ４０３）。画像データにバーコードが含まれていない場合（Ｓ４０３：Ｎｏ）には、バーコードを含んだ特定文書ではないと判別されるため、設定されたスキャン設定の設定値でスキャンを実行する（Ｓ４０４）。
【００９１】
また、画像データにバーコードが含まれていた場合（Ｓ４０３：Ｙｅｓ）には、そのバーコードが特定文書を表すデータを含むか否かを判断する（Ｓ４０５、判別手段の一例）。バーコードが特定文書を表すデータを含んでいないと判断された場合（Ｓ４０５：Ｎｏ）には、原稿が特定文書としてのバーコード文書に該当しないと判別されたことになるため、Ｓ４０４に進み、現設定のままでスキャンを実行する。また、画像データのバーコードが特定文書を表すデータを含んでいる場合（Ｓ４０５：Ｙｅｓ）には、原稿が特定文書
としてのバーコード文書であると判別されたことになり、その種類のバーコード文書に対応する読取条件をＲＯＭ２３から読み出し、スキャンを実行する（Ｓ４０６）。
【００９２】
＜実施形態５＞
次に本発明の実施形態５について図８を参照して説明する。図８は、本実施形態のスキャン処理の流れを示すフローチャートである。
【００９３】
なお、本実施形態では、読取手段として、透過型のスキャナ部２９が用いられる。
【００９４】
本実施形態では、ＲＯＭ２３に、特定文書として透かし入り文書が記憶され、それに対応する透かしパターンが記憶されている。さらに、ＲＯＭ２３には、透かし入り文書に対応する読取条件の制限を守る読取条件が記憶されている。
ＣＰＵ２５は、スキャン処理を開始すると、まずプレスキャンを行う（Ｓ５０１）。このプレスキャンの読取条件は、モノクロで、画像データが特定の透かしパターンを含むか否かを調べるのに最低限必要な程度の解像度とされ、予めＲＯＭ２３に記憶されている。続いて、ＣＰＵ２５は、プレスキャンにより取得された画像データを解析し（Ｓ５０２）、画像データに特定の透かしパターンが含まれているかを判断する（Ｓ５０３、判別手段の一例）。画像データに特定の透かしパターンが含まれていない場合（Ｓ５０３：Ｎｏ）には、透かし入り文書ではないと判別されるため、設定されたスキャン設定の設定値でスキャンを実行する（Ｓ５０４）。なお、ＲＯＭ２３には、特定文書に対応する透かしパターンが記憶されており、Ｓ５０３の判別処理では、プレスキャンにより取得された画像データに含まれる透かしパターンと、ＲＯＭ２３に記憶されている透かしパターンとが照合され、両者が一致するか否かで画像データに特定の透かしパターンが含まれているか否かが判別される。
【００９５】
また、画像データに特定の透かしパターンが含まれていた場合（Ｓ５０３：Ｙｅｓ）には、原稿が透かし入り文書に該当すると判別されたことになるため、その透かし入り文書に対応する読取条件をＲＯＭ２３から読み出し、スキャンを実行する（Ｓ５０５）。
【００９６】
＜実施形態６＞
次に本発明の実施形態６について図９を参照して説明する。図９は、本実施形態のスキャン処理の流れを示すフローチャートである。
【００９７】
本実施形態では、原稿が特定文書であるか否かの判別を行うために、磁気スキャナが用いられる。この磁気スキャナは、例えば、スキャナ部２９のヘッドに隣接して設けることができる。磁気スキャナは、スキャナ部２９のヘッドの動作に同期して原稿を走査して、文字文書等の情報を原稿上に記録するために使用されているトナーやインク等の記録材に含まれる磁性体の磁気を読み取る。これにより、磁気スキャナによって磁気スキャンされた原稿中の磁性体の分布を示す画像データ（磁気マップ情報）を取得することができる。また、ＲＯＭ２３には、特定文書に対応する磁気マップ情報が記憶されている。さらに、ＲＯＭ２３には、特定文書に対応する読取条件の制限を守る読取条件が記憶されている。
【００９８】
ＣＰＵ２５は、スキャン処理を開始すると、まず原稿を磁気スキャンして磁気マップ情報を生成し（Ｓ７０１）、その磁気マップ情報を特定文書の磁気マップ情報と照合する（Ｓ７０２、判別手段の一例）。そして、磁気スキャンした磁気マップ情報が特定文書の磁気マップ情報と一致しない場合（Ｓ７０２：Ｎｏ）には、原稿が特定文書でないと判別されたことになるため、設定されたスキャン設定の設定値でスキャナ部２９によるスキャンを実行する（Ｓ７０３）。また、磁気スキャンしたマップが特定文書の磁気マップ情報と一致する場合（Ｓ７０２：Ｙｅｓ）には、原稿が特定文書であると判別されたことになる
ため、特定文書に対応する読取条件をＲＯＭ２３から読み出し、スキャンを実行する（Ｓ７０４）。
【００９９】
＜他の実施形態＞
本発明は上記記述及び図面によって説明した実施形態に限定されるものではなく、例えば次のような実施形態も本発明の技術的範囲に含まれる。
（１）上記実施形態では、原稿が特定要件を満たす特定原稿であるか否かの判別などを画像読取装置にて実行するものを示したが、判別等を画像読取装置に接続された情報処理装置にて行うようにしても良い。具体的には、例えば、図１に示すように、コンピュータ１０から読み取り指令をプリンタ２０に送信した後、スキャナ部２９のプレスキャンによって得られた画像データをＲＡＭ１４に取り込んで、ＣＰＵ１５の制御により各種の判別や文字・記号・図形等の認識等を行い、原稿が特定文書であると判断された場合に、読取条件を適宜変更して、スキャナ部２９に再度のスキャンを実行させるように構成しても良い。
（２）実施形態２から６においても、スキャン処理の途中に、ユーザに読取条件を変更するか否かを選択させる画面を適宜表示させることができる。また、原稿が特定文書であると判別された場合に読取条件を変更するか否かを、ユーザがスキャン処理の前に予め設定しておき、スキャン処理の際にはその設定に従って処理するようにしても良い。
（３）上記実施形態では、読み取りによって取得した画像データをネットワークを介してコンピュータに出力するものを示したが、本発明によれば、例えば、画像読取装置にＵＳＢメモリなどの記憶メディアを接続する接続部を設け、画像データをそこに接続された記憶メディア上に記憶させる構成として良い。また、本発明は、読み取りによって取得した画像データを印刷部によって用紙上に印刷する場合にも適用することができる。
（４）本発明は、スキャン時にユーザにより読取条件（第１の読取条件）が設定されず、スキャン前から予めＲＯＭ２３に記憶されている読取条件を読み出してスキャンを行い、判別手段により原稿の種類を判別してから、その原稿の種類に応じて読取条件を変えてスキャンを実行するようなものにも適用することができる。
【図面の簡単な説明】
【０１００】
【図１】本発明の実施形態１のプリンタとコンピュータとから構成される画像読取システムの構成を示すブロック図
【図２】スキャン処理の流れを示すフローチャート
【図３】確認画面の表示例を示す図
【図４】選択画面の表示例を示す図
【図５】実施形態２のスキャン処理の流れを示すフローチャート
【図６】実施形態３のスキャン処理の流れを示すフローチャート
【図７】実施形態４のスキャン処理の流れを示すフローチャート
【図８】実施形態５のスキャン処理の流れを示すフローチャート
【図９】実施形態６のスキャン処理の流れを示すフローチャート
【符号の説明】
【０１０１】
１０…コンピュータ（情報処理装置）
２０…プリンタ（画像読取装置）
２１…操作部（ユーザ設定手段、第１の選択手段、第２の選択手段）
２３…ＲＯＭ（記憶手段、第１記憶手段、第２記憶手段）
２４…ＲＡＭ（第１記憶手段）
２５…ＣＰＵ（判別手段、制御手段、認識手段）
２８…ネットワークインターフェイス（ユーザ設定手段）
２９…スキャナ部（読取手段）
【図１】
2008160810.tif 000003
【図２】
2008160810.tif 000004
【図３】
2008160810.tif 000005
【図４】
2008160810.tif 000006
【図５】
2008160810.tif 000007
【図６】
2008160810.tif 000008
【図７】
2008160810.tif 000009
【図８】
2008160810.tif 000010
【図９】
2008160810.tif 000011